(57)【要約】【課題】骨折した骨の組織の補強、安定化、および再生の技術を提供すること。【解決手段】（ａ）複数の補強ロッドと（ｂ）骨成長剤を組み合わせて用いて、骨折した椎体を治療する方法。補強ロッドは、骨折平面に亘って異なる骨断片を機械的に接合して、これにより骨折部位を安定させる役割を果たす。骨形成剤は、骨折平面に亘る新しい骨の成長を促進して、これにより骨折部位を新しい骨で持続的に置換する。【選択図】図４
2009509578.tif 000002
【特許請求の範囲】
【請求項１】
骨折した椎体を治療するための装置において、
（ａ）長さ方向の貫通孔、近位端部、および遠位端部を有するトロカールと、
（ｂ）近位端部分、中間部分、および遠位端部分を有する複数の補強ロッドと、
を含み、
前記ロッドの前記近位端部分は、前記トロカールの前記近位端部から延びており、
前記ロッドの前記中間部分は、前記長さ方向の貫通孔内に位置しており、
前記ロッドの前記遠位端部分は、前記トロカールの前記遠位端部から延びている、装置。
【請求項２】
請求項１に記載の装置において、
少なくとも１つの前記ロッドの前記遠位端部分は、前記少なくとも１つのロッドの前記中間部分から取り外し可能である、装置。
【請求項３】
請求項１に記載の装置において、
少なくとも１つの前記ロッドは、引き戻し可能である、装置。
【請求項４】
請求項１に記載の装置において、
少なくとも１つの前記ロッドは、可撓性である、装置。
【請求項５】
請求項４に記載の装置において、
前記少なくとも１つの可撓性ロッドは、形状記憶材料から作られている、装置。
【請求項６】
請求項４に記載の装置において、
前記形状記憶材料は、金属合金、およびポリマーからなる群から選択される、装置。
【請求項７】
請求項３に記載の装置において、
前記少なくとも１つの可撓性ロッドは、所定の半径の撓みを有する、装置。
【請求項８】
請求項１に記載の装置において、
少なくとも１つの前記補強ロッドは、高密度である、装置。
【請求項９】
請求項１に記載の装置において、
少なくとも１つの前記補強ロッドは、カニューレ状で貫通孔を画定している、装置。
【請求項１０】
請求項９に記載の装置において、
前記カニューレ状ロッドは、前記ロッドの前記遠位端部分から延びた１つの孔を含む、装置。
【発明の詳細な説明】
【開示の内容】
【０００１】
〔発明の背景〕
椎体形成術（vertebroplasty）では、外科医は、ＰＭＭＡなどの骨セメントの骨折部位への注入により椎体の圧迫骨折を治療しようとする。図１は、骨折線（破線）を有する従来の骨折した椎体を開示している。ジェンセン（Jensen）ら著、ＡＪＮＲ、１９９７年１１月１８日の臨床レポートでは、２種類のＰＭＭＡ前駆体成分（precursor components）（一方が粉末、他方が液体）をシャーレで混合して粘性骨セメントを生成し、このセメントを１０ｍＬ注射器に詰め、小さな１ｍＬ注射器に注入し、最後にその小さな注射器に取り付けられた針を通して混合物を椎体の所望の部位に送達することを説明している。
【０００２】
米国特許第６，３４８，０５５号（プライスマン（Preissman））に、椎体形成術では、注射器の使用による骨セメントの送達が、高い圧力スパイクにつながることが報告されている。プライスマンは、骨セメントの送達の際にスクリュー式高圧注入装置を用いると均一な注入圧力になることを開示している。
【０００３】
一般に、従来の椎体形成術の技術では、骨折を安定させるための手段として大量の非吸収性ＰＭＭＡ（bolus non-resorbable PMMA）を用いてきた。しかしながら、この技術は、骨の再生を促進しない。
【０００４】
骨折部位において骨を再生する試みがなされてきたが、このような試みは大部分が、吸収性Ｃａｐセメントの大量瞬時投与（a bolus of resorbable CaP cement）の使用に限定されていた。
【０００５】
〔発明の概要〕
本発明は、骨折部位に（ａ）複数の補強ロッドと（ｂ）骨形成剤を組み合わせて置くことに関する。補強ロッドは、骨折平面に亘って異なる骨断片を機械的に接合して、これにより骨折部位を安定させる役割を果たす。骨形成剤は、骨折平面に亘る新しい骨の成長を促進して、これにより骨折部位を新しい骨で持続的に置換する。
【０００６】
したがって、本発明は、骨断片を機械的に安定させて、自然の骨の成長を可能にするために、生物学的な成長因子または骨芽前駆生細胞（viable osteoprogenitor cells）の支持構造（bed）の機械的な補強を提供する。生理活性成長因子および／または生細胞が入っている流動性材料の椎体内への挿入すなわち注入を行い、補強ロッドによって荷重を分散させ、骨折部位を安定させた状態で、弱い骨組織または喪失した骨組織を再生する。
【０００７】
したがって、本発明に従って、骨折した椎体の治療方法を提供する。この方法は、
（ａ）貫通孔を有するトロカールを椎体内に挿入するステップと、
（ｂ）複数の可撓性補強ロッドを、貫通孔を介して骨折した椎体内に前進させるステップと、を含む。
【０００８】
また、本発明に従って、骨折した椎体を治療するための装置を提供する。この装置は、
（ａ）長さ方向の貫通孔、近位端部、および遠位端部を有するトロカールと、
（ｂ）近位端部分、中間部分、および遠位端部分を有する複数の補強ロッドと、を含み、
ロッドの近位端部分は、トロカールの近位端部から延びており、ロッドの中間部分は、長さ方向の貫通孔内に位置しており、ロッドの遠位端部分は、トロカールの遠位端部から延びている。
【０００９】
〔詳細な説明〕
ここで図２を参照すると、好適な一実施形態では、本発明の方法は、骨粗しょう症の椎体の圧迫骨折を治療する。
【００１０】
まず、図２を参照すると、本発明の装置１が示されている。この装置は、
（ａ）長さ方向貫通孔１３、近位端部１５、および遠位端部１７を有するトロカール１１と、
（ｂ）近位端部分２３、中間部分２５、および遠位端部分２７を有する複数の可撓性補強ロッド２１と、を含む。
【００１１】
ロッドを含むトロカールを、椎体の骨折した皮質殻（cortical shell）および骨折した海綿骨領域に挿入する。
【００１２】
次に、図３を参照されたい。複数の可撓性補強ロッドを、トロカールの孔の中から椎体の中へ遠位側に前進させる。前進させると、ロッドの近位端部分が、トロカールの近位端部から近位側に延び、ロッドの中間部分が、長さ方向の貫通孔の中に位置し、ロッドの遠位端部分が、トロカールの遠位端部から遠位側に延びている。これらのロッドは、椎体断片の接触が所望の程度になるまで、所定の半径または角度で骨折した骨内へ遠位側に広がり、これにより骨の欠損部中で補強傘３１が形成される。好ましくは、この補強傘３１は、荷重の伝達を助け、椎体を安定させる十分な強度を付与する。
【００１３】
次に、図４を参照されたい。成長因子および幹細胞などの骨成長剤４１をトロカールから椎体内に注入して、骨折部位に亘る骨の再生を促す。補強ロッドがカニューレ状である場合（不図示）、この補強ロッドを通して骨成長剤を送達することもできる。
【００１４】
最後に、図５Ａを参照されたい。補強ロッドの遠位端部分を、ロッドの残りの部分から取り外し、ロッドの残りの部分を、トロカールを通して引き戻し、次いでトロカールを引き戻す。これにより、傘３１および骨成長剤４１が植え込まれたままとなり、骨の再生過程で、耐荷重性を支持し、骨の成長を助ける。
【００１５】
図５Ｂ〜図５Ｅは、補強ロッドの遠位部分を、補強ロッドの残りの部分から取り外すための異なる方法を開示している。ここで、図５Ｂを参照すると、一実施形態では、補強ロッド２１は、所定の長さの別個のロッドとして用意され、１つのプッシャーロッド３３によって椎体内に押し込まれる。
【００１６】
次に、図５Ｃを参照されたい。この別の実施形態では、補強ロッドの近位端部が、プッシャーロッド３３の遠位端部３６内に形成されたコレット３５内にまとめて保持されている。ロッドが所定の位置に置かれたら、コレットグリップを解放してプッシャーロッドを引き戻し、補強ロッドを所定の位置に残置する。
【００１７】
次に、図５Ｄを参照されたい。この別の実施形態では、内側に向いた複数の切刃４５を有する切断チューブ４３が、トロカールと補強ロッドとの間に設けられている。使用の際、補強ロッドが所望の場所まで前進したら、トロカールを切断チューブに対して僅かに前進させて、切刃を補強ロッドに向かって、かつ補強ロッドを貫通して押し進め、これにより補強ロッドの遠位端部分を補強ロッドの残りの部分から分離する。
【００１８】
次に、図５Ｅを参照されたい。この別の実施形態では、補強ロッドは、棘５３を有する遠位端部分、および細い中間部分５５を含む。使用の際、ロッドが所望の場所まで前進すると、棘によってロッドが戻るのが防止される。次に、ロッドの近位端部分５７に捩り張力を加えると、ロッドが中間部分で破断する。
【００１９】
次に、図６を参照されたい。この別の好適な実施形態では、骨折部位の中に通路を作ってから、可撓性ロッド全体を引き戻し、この通路を硬化性の耐荷重材料５１で満たす。このような耐荷重材料は、骨セメント（ＰＭＭＡ系骨セメントなどのアクリル系骨セメントなど）、骨粒子（鉱化されるか、または鉱質除去されたもの、または両方、および自己または同種、または両方）を含むペースト、ならびにセラミック系骨セメント（ＨＡおよびＴＣＰ系ペーストなど）を含め、椎体を補強するために一般に用いられるあらゆる材料とすることができる。これらは、成長因子および幹細胞などの骨成長剤でさらに増強することができる。
【００２０】
次に、図７を参照されたい。この別の好適な実施形態では、補強ロッドの各遠位端部は、前進すると植込み補強ステント６１を作り出すように連結されている。このステントは、椎体の高さを回復するために有利に用いることができる。次に、図８を参照されたい。ステントが作られた後、骨形成剤４１が、トロカールを通って骨折した椎体内に流れ込む。
【００２１】
複数の補強ロッドは、トロカールを通して固形で送達される、持続的に植え込まれる複数の支柱を含むことができる。ある実施形態では、このようなロッドは、従来のロッド、カニューレ、およびＩビームなどの形状にすることができる。別法では、補強ロッドは、生体内原位置で（in situ）、まず補強通路を形成し、次に、流動性の硬化性耐荷重材料をこの通路内に導入して持続性支柱すなわちステントを形成して、作製することができる。
【００２２】
ある好適な実施形態では、トロカールを通して送達される固形の補強ロッドは可撓性である。このような可撓性ロッドは、拘束されていない場合所定の角度で撓む（すなわち、所定の半径の撓みを有する）機械特性を有する形状記憶材料から製造することができる。骨の骨折部位内でのロッドの撓みが、ロッドによる容積範囲を増大させると共に骨折部位の固定を助ける傘形状を作り出す。形状記憶材料は、金属（ニチノールなど）、またはポリマーを含むことができる。
【００２３】
ある実施形態では、補強ロッドは、高密度とすることができ、他の実施形態では、ロッドは、カニューレ状である。カニューレ状ロッドは、ロッドの遠位端部分または側面から延びた１つの孔を備えることができる。このようなカニューレ状ロッドは、ガイドワイヤと共に用いることもできる。カニューレ状ロッドはまた、ロッドの遠位端部分または側面から延びる複数の孔を備えていてもよい。ある実施形態では、骨成長因子および／または幹細胞などの骨成長剤を、所望の場所に制御下で放出されるように、カニューレ状ロッドを通して骨折部位に注入する。これにより、トロカールを介した送達よりも、骨成長剤の沈着をより正確に制御することができる。
【００２４】
カニューレ状ロッドとガイドワイヤのある実施形態では、この組合せが椎体内に挿入されたら、ガイドワイヤのみを引き戻して、これによりカニューレ状ロッドを所定の位置に残置し、このカニューレ状ロッドを通して骨成長剤または骨セメントを供給することができる。
【００２５】
カニューレ状ロッドとガイドワイヤの他の実施形態では、この組合せが椎体内に挿入されたら、カニューレ状ロッドのみを引き戻して、これにより補強ガイドワイヤを所定の位置に残置する。
【００２６】
ある実施形態では、補強ロッドは、グラフト材料がこの補強ロッドに接着するのを防止するための接着防止材料、接着剤、および放出保証特徴部（release securement feature）などの材料でコーティングされることができる。適当な材料には、潤滑剤、シリコーン、グリセリン、およびフルオロポリマーが含まれる。
【００２７】
ある実施形態では、補強ロッドは、ネジ山が設けられた外面を有する。このようなネジ山付きロッドが骨折部位を横切って前進すると、ネジ山により、２つの骨折平面が互いに引き寄せられる。加えて、微小棘、リブ、または表面テクスチャリングを用いて、引き抜き、または移動を防止するのを助けることができる。
【００２８】
ある実施形態では、トロカールは、可撓性ロッドが通って延びる複数の側面孔を有する。このように、１つの補強ロッドが１つの側面孔を通過し、各可撓性ロッドが所定の制御された要領で広がる。
【００２９】
本発明のために、用語「骨形成剤（bone-forming agent）」および「骨成長剤（bone growth agent）」は、互換的に用いられる。一般に、骨形成剤は、
（ａ）成長因子（骨誘導（osteoinductive）因子または血管形成因子など）、
（ｂ）骨伝導物質（osteoconductive）（顆粒の多孔基質など）、
（ｃ）骨形成物質（osteogenic）（骨芽前駆生細胞など）、または、
（ｄ）プラスミドＤＮＡとすることができる。
【００３０】
ある実施形態では、製剤は液体担体を含み、骨形成剤はこの担体に可溶性である。
【００３１】
ある実施形態では、骨形成剤は、成長因子である。本明細書で用いる用語「成長因子」は、他の細胞、特に結合組織前駆細胞の成長または分化を調節するあらゆる細胞産物を含む。本発明に従って用いることができる成長因子は、酸性および塩基性線維芽成長因子（ＦＧＦ‐１およびＦＧＦ‐２）およびＦＧＦ‐４を含む線維芽成長因子ファミリーのメンバー；ＰＤＧＦ‐ＡＢ、ＰＤＧＦ‐ＢＢ、およびＰＤＧＦ‐ＡＡを含む血小板由来成長因子（ＰＤＧＦ）ファミリーのメンバー；ＥＧＦｓ；ＶＥＧＦ；ＩＧＦ−ＩおよびＩＧＦ−ＩＩを含むインスリン様成長因子（ＩＧＦ）ファミリーのメンバー；ＴＧＦ‐β１、ＴＧＦ‐β２、およびＴＧＦ‐β３を含むＴＧＦ‐βスーパーファミリー；骨誘導因子（osteoidinducing factor）（ＯＩＦ）、アンジオジェニン；エンドセリン；肝細胞成長因子およびケラチノサイト成長因子；ＭＰ‐５２を含む骨形態形成タンパク質（ＢＭＰｓ）のメンバーすなわちＢＭＰ‐１、ＢＭＰ‐３、ＢＭＰ‐２、ＯＰ‐１、ＢＭＰ‐２Ａ、ＢＭＰ‐２Ｂ、ＢＭＰ‐７、およびＢＭＰ‐１４；ＨＢＧＦ‐１およびＨＢＧＦ‐２；ＧＤＦ‐５を含む成長分化因子（growth differentiation factors）（ＧＤＦｓ）；インディアンヘッジホッグ、ソニックヘッジホッグ、およびデザートヘッジホッグを含むヘッジホッグファミリーのタンパク質のメンバー；ＡＤＭＰ‐１；インターロイキン（ＩＬ）ファミリーの骨形成メンバー；ＧＤＦ‐５；ＣＳＦ‐１、Ｇ‐ＣＳＦ、およびＧＭ‐ＣＳＦを含むコロニー刺激因子（ＣＳＦ）ファミリーのメンバー；ならびにこれらのアイソフォームを含むが、これらに限定されない。
【００３２】
ある実施形態では、成長因子は、ＴＧＦ−β、ｂＦＧＦ、およびＩＧＦ−１からなる群から選択される。これらの成長因子は、骨の再生を促進すると考えられている。ある実施形態では、成長因子はＴＧＦ−βである。より好ましくは、ＴＧＦ−βは、約１０ｎｇ／ｍＬ〜約５０００ｎｇ／ｍＬ、例えば、約５０ｎｇ／ｍＬ〜約５００ｎｇ／ｍＬ、例えば約１００ｎｇ／ｍＬ〜約３００ｎｇ／ｍＬの量で投与される。
【００３３】
ある実施形態では、血小板濃縮物を、骨形成剤として用意する。一実施形態では、血小板から放出される成長因子は、血小板を採取した血液に存在する量の少なくとも２倍（例えば、４倍）の量で存在する。ある実施形態では、血小板濃縮物は、自己血小板濃縮物である。ある実施形態では、血小板濃縮物は、多血小板血漿（ＰＲＰ）である。ＰＲＰは、骨の成長を再刺激することができる成長因子を含有するため、かつ、そのフィブリン基質が新しい組織の成長のための適切な足場をもたらすため、有利である。
【００３４】
ある実施形態では、骨形成剤は、有効量の骨形態形成タンパク質（ＢＭＰ）を含む。ＢＭＰｓは、間葉幹細胞（ＭＳＣｓ）の骨芽細胞への分化およびその増殖を促進して、骨形成を有利に増進する。
【００３５】
ある実施形態では、約１ｎｇ〜約１０ｍｇのＢＭＰを、標的の骨の中に投与する。ある実施形態では、約１μｇ〜約１ｍｇのＢＭＰを、標的の骨の中に投与する。
【００３６】
ある実施形態では、骨形成剤は、有効量の線維芽細胞成長因子（ＦＧＦ）を含む。ＦＧＦは、強力な分裂促進物質であって、血管由来であり、したがって間葉幹細胞を標的エリアに引き寄せる。さらに、ＦＧＦは、骨芽細胞を刺激し骨細胞に分化させると考えられている。
【００３７】
ある実施形態では、ＦＧＦは、酸性ＦＧＦ（ａＦＧＦ）である。
【００３８】
ある実施形態では、ＦＧＦは、塩基性ＦＧＦ（ｂＦＧＦ）である。
【００３９】
ある実施形態では、約１μｇ〜約１０，０００μｇのＦＧＦが、標的の骨の中に投与される。ある実施形態では、約１０μｇ〜約１，０００μｇのＦＧＦが、標的の骨の中に投与される。ある実施形態では、約５０μｇ〜約６００μｇのＦＧＦが、標的の骨の中に投与される。
【００４０】
ある実施形態では、約０．１ｍｇ／ｋｇ／日〜約４ｍｇ／ｋｇ／日のＦＧＦが標的の骨の中に投与される。ある実施形態では、約１ｍｇ／ｋｇ／日〜約２ｍｇ／ｋｇ／日のＦＧＦが標的の骨の中に投与される。
【００４１】
ある実施形態では、ＦＧＦは、約０．１ｍｇ／ｍＬ〜約１００ｍｇ／ｍＬの濃度で標的の骨の中に投与される。ある実施形態では、ＦＧＦは、約０．５ｍｇ／ｍＬ〜約３０ｍｇ／ｍＬの濃度で標的の骨の中に投与される。ある実施形態では、ＦＧＦは、約１ｍｇ／ｍＬ〜約１０ｍｇ／ｍＬの濃度で標的の骨の中に投与される。
【００４２】
ある実施形態では、ＦＧＦは、局所組織の濃度が約０．１ｍｇ／ｋｇ〜約１０ｍｇ／ｋｇとなるような量で標的の骨の中に投与される。
【００４３】
ある実施形態では、製剤は、ヒアルロン酸担体およびｂＦＧＦを含む。ある実施形態では、米国特許第５，９４２，４９９号（オークエスト（Orquest））に開示されている製剤は、ＦＧＦ含有製剤として選択される。
【００４４】
ある実施形態では、骨形成剤は、有効量のインスリン様成長因子を含む。ＩＧＦｓは、分裂促進活性（mitogenic activity）および／または細胞増殖を促進して骨形成を有利に増進する。
【００４５】
ある実施形態では、骨形成剤は、有効量の副甲状腺ホルモン（ＰＴＨ）を含む。理論に拘束されることを望むわけではないが、ＰＴＨは、骨芽細胞の増殖を仲介して骨形成を有利に増進すると考えられる。
【００４６】
ある実施形態では、ＰＴＨは、参照して開示内容の全てを本明細書に組み入れる米国特許第５，５１０，３７０号（ホック（Hock））および同第６，５９０，０８１号（ジャン（Zhang））、ならびに特許出願公開第２００２／０１０７２００（チャン（Chang））において教示されているような断片または変異体である。一実施形態では、ＰＴＨは、例えば、ＦＯＲＴＥＯ（登録商標）（イーライ・リリー・アンド・カンパニー（Eli Lilly and Company））などのＰＴＨ（１−３４）（テリパラチド（teriparatide））である。ある実施形態では、ＢＦＡは、副甲状腺ホルモン突然変異タンパク質などの副甲状腺ホルモン誘導体である。副甲状腺ホルモン突然変異タンパク質の例が、参照して開示内容の全てを本明細書に組み入れる米国特許第５，８６５，１３８号（フクダ（Fukuda））において論じられている。
【００４７】
ある実施形態では、骨形成剤は、有効量のスタチンを含む。理論に拘束されることを望むわけではないが、スタチンは、ＢＭＰｓの発現を促進して骨形成を増進すると考えられる。
【００４８】
ある実施形態では、骨形成剤は、多孔基質であり、好ましくは注入可能である。ある実施形態では、多孔基質はミネラルである。一実施形態では、このミネラルは、カルシウムおよびリンを含む。ある実施形態では、ミネラルは、リン酸カルシウム、リン酸三カルシウム、およびハイドロキシアパタイトからなる群から選択される。一実施形態では、基質の平均的な孔（average porosity）は、約２０μｍ〜約５００μｍ、例えば、約５０μｍ〜約２５０μｍである。本発明のさらに別の実施形態では、生体内原位置の孔（in situ porosity）が、注入された基質内に生成され、注入された骨折安定セメント内に多孔性足場が生成される。生体内原位置の孔が標的の組織内に生成されたら、外科医は、他の治療用化合物をその孔に注入することができ、これにより周囲組織を治療し、注入可能なセメントおよび標的組織の再構築過程を促進する。
【００４９】
ある実施形態では、ミネラルは、顆粒形態で投与される。顆粒ミネラルの投与により、ミネラルの周りの骨の成長が促進され、骨結合（osteointegration）が起こると考えられる。
【００５０】
ある実施形態では、ミネラルは、硬化可能なペーストの形態で投与される。この条件では、このペーストは、生体内で硬化し、これにより治療後に機械的な支持を脆弱なＯＰ本体に迅速に付与する。
【００５１】
別の実施形態では、治療薬は、標的組織に注入可能な吸収性または非吸収性セメントを介して送達される。治療薬は、まず骨形成剤を放出し、次に再吸収阻害剤を放出するように、生体吸収大球形技術（bioabsorbable macro-sphere technologies）を用いて製剤する。セメントは、骨折した標的組織における痛みを治療するのに必要な初期の安定性を提供する。このような骨折した標的組織は、限定するものではないが、股関節、膝関節、および椎体の骨折部位、ならびに腸骨稜骨折部位を含む。ある実施形態では、セメントは、リン酸カルシウム、リン酸三カルシウム、およびハイドロキシアパタイトからなる群から選択される。他の実施形態では、セメントは、ＰＭＭＡ、処理した自己および同種移植骨を含め、任意の硬質生体適合性セメントである。ハイドロキシアパタイトは、その強度および生物学的プロフィールから好適なセメントである。セメントにある程度の再吸収性が望まれる場合に特に、リン酸三カルシウムは、単独で、またはハイドロキシアパタイトと組み合わせて用いることもできる。
【００５２】
ある実施形態では、多孔基質は、再吸収性ポリマー材料を含む。
【００５３】
ある実施形態では、骨形成剤は、ミネラル化コラーゲン複合材の生体内原位置での形成を生じさせる注入可能な前駆流体（injectable precursor fluid）を含む。ある実施形態では、この注入可能な前駆流体は、
（ａ）酸溶性Ｉ型コラーゲン溶液を含む第１の製剤（好ましくは、約１ｍｇ／ｍＬ〜約７ｍｇ／ｍＬのコラーゲン）と、
（ｂ）カルシウムおよびリン酸塩を含有するリポソームを含む第２の製剤と、を含む。
【００５４】
酸溶性コラーゲン溶液とカルシウムおよびリン酸塩含有リポソームを組み合わせて、リポソーム／コラーゲン前駆流体が得ることができる。この流体は、室温から３７℃に加熱すると、ミネラル化コラーゲンゲルを生成する。
【００５５】
ある実施形態では、リポソームには、ジパルミトイルホスファチジルコリン（dipalmitoylphosphatidylcholine）（９０モル％）とジミリストイルホスファチジルコリン（dimyristoyl phosphatidylcholine）（１０モル％）が入っている。このようなリポソームは、室温で安定であるが、３５℃超に加熱されるとリン酸カルシウムミネラルを生成し、脂質鎖の溶融遷移で閉じ込められていた塩が放出される。このような技術の１つが、参照して記載内容の全てを本明細書に組み入れるペダーソン（Pederson）著、バイオマテリアルズ（Biomaterials）、２００３年、２４：４８８１〜４８９０に開示されている。
【００５６】
別法では、化学反応、酵素反応、磁気反応、電気的反応、光反応、または核反応を含むがこれらに限定されない他のタイプの反応により達成される温度上昇によって、コラーゲンを生体内原位置でミネラル化することができる。これらの適当な熱源は、光、化学反応、酵素で制御された反応、および材料に埋め込まれた電線を含む。電線を用いる方法をさらに説明すると、具体的には、ワイヤ（補強ロッドとすることができる）をまず空間内に埋め込み、加熱してカルシウムの沈着物を生成し、次にワイヤを引き戻す。ある実施形態では、このワイヤは、形状を形成できるニチノールなどの形状記憶合金とすることができる。別法では、導電性ポリマーを、温度上昇要素として選択することができる。このポリマーは、コラーゲンを形成するために加熱され、次に生体内原位置で分解されて再吸収され、これにより、骨形成のための空間がミネラル化コラーゲンの近傍に生じる。
【００５７】
一実施形態では、骨形成剤は、複数の骨芽前駆生細胞である。このような生細胞は、骨内に導入されると、骨粗しょう症の過程で生じる骨の喪失を少なくとも部分的に修復することができる。ある実施形態では、このような細胞を、骨の海綿状部分に導入して、最終的に新しい海綿骨を形成する。他の実施形態では、このような細胞を皮質領域に導入して、新しい皮質骨を作り出す。
【００５８】
ある実施形態では、このような細胞を別のヒトから得るが（同種移植片）、他の実施形態では、このような細胞を同じヒトから得る（自己移植片）。ある実施形態では、このような細胞を骨組織から得るが、他の実施形態では、このような細胞（間葉幹細胞、軟骨細胞、または線維芽細胞などとすることもできる）を非骨組織から得る。他の実施形態では、自己移植骨細胞（膝、股関節、肩、指、または耳などからの骨細胞）を用いることができる。
【００５９】
一実施形態では、生細胞が、追加の治療薬または物質として選択される場合、生細胞は、間葉幹細胞（ＭＳＣｓ）を含む。ＭＳＣｓは、分離した再吸収される骨（uncoupled resorbing bone）に投与するのが特に有利である。なぜなら、ＭＳＣｓは、分離した再吸収される骨に存在する比較的厳しい環境で容易に生存することができ、所望のレベルの可塑性を有し、増殖および所望の細胞への分化が可能であると考えられるためである。
【００６０】
ある実施形態では、間葉幹細胞は、自己骨髄などの骨髄から得られる。他の実施形態では、間葉幹細胞は、脂肪組織、好ましくは自己脂肪組織から得られる。
【００６１】
ある実施形態では、骨内に注入される間葉幹細胞は、例えば、新鮮な骨髄から非濃縮形態で用意する。他の実施形態では、間葉幹細胞は、濃縮形態で用意する。濃縮形態で用意する場合、間葉幹細胞は、未培養とすることができる。未培養の濃縮ＭＳＣｓは、遠心分離、ろ過、または免疫吸着によって容易に得ることができる。ろ過が選択された場合、参照して開示内容の全てを本明細書に組み入れる米国特許第６，０４９，０２６号（ムシュラー（Muschler））に開示されている方法を用いることができる。ある実施形態では、ＭＳＣｓのろ過および濃縮に用いられる基質は、分離した再吸収される骨内に投与される。
【００６２】
ある実施形態では、骨細胞（同種または自己の供給源からとすることができる）、または間葉幹細胞は、本明細書に明記した成長因子のリストから選択できる骨誘導骨同化剤（osteoinductive bone anabolic agent）を生成するために遺伝子組み換えすることができる。このような骨促進剤の生産は、骨の成長につながる。
【００６３】
ある実施形態では、骨伝導物質は、カルシウムおよびリンを含む。ある実施形態では、骨伝導物質は、ハイドロキシアパタイトを含む。ある実施形態では、骨伝導物質は、コラーゲンを含む。ある実施形態では、骨伝導物質は、粒子形態である。
【００６４】
近年の研究から、プラスミドＤＮＡは、ウイルスベクターとは異なり、炎症反応を誘導しないことが確認された。ＢＭＰなどの骨（同化）剤をコード化する遺伝子は、分離した再吸収される骨内に注入する場合に有効であろう。加えて、局所的な破骨細胞の活性を制限する上記の成長因子または他の作用物質のいずれかの過剰発現は、骨の成長にとってプラス効果を有するであろう。一実施形態では、プラスミドＤＮＡは、ヒトＴＧＦ−βまたはエリスロポエチン（ＥＰＯ）の遺伝子コードを含む。
【００６５】
したがって、ある実施形態では、別の治療物質が、生細胞とプラスミドＤＮＡからなる群から選択される。
【００６６】
〔実施の態様〕
（１）骨折した椎体を治療するための装置において、
（ａ）長さ方向の貫通孔、近位端部、および遠位端部を有するトロカールと、
（ｂ）近位端部分、中間部分、および遠位端部分を有する複数の補強ロッドと、
を含み、
前記ロッドの前記近位端部分は、前記トロカールの前記近位端部から延びており、
前記ロッドの前記中間部分は、前記長さ方向の貫通孔内に位置しており、
前記ロッドの前記遠位端部分は、前記トロカールの前記遠位端部から延びている、装置。
（２）実施態様（１）に記載の装置において、
少なくとも１つの前記ロッドの前記遠位端部分は、前記少なくとも１つのロッドの前記中間部分から取り外し可能である、装置。
（３）実施態様（１）に記載の装置において、
少なくとも１つの前記ロッドは、引き戻し可能である、装置。
（４）実施態様（１）に記載の装置において、
少なくとも１つの前記ロッドは、可撓性である、装置。
（５）実施態様（４）に記載の装置において、
前記少なくとも１つの可撓性ロッドは、形状記憶材料から作られている、装置。
【００６７】
（６）実施態様（４）に記載の装置において、
前記形状記憶材料は、金属合金、およびポリマーからなる群から選択される、装置。
（７）実施態様（３）に記載の装置において、
前記少なくとも１つの可撓性ロッドは、所定の半径の撓みを有する、装置。
（８）実施態様（１）に記載の装置において、
少なくとも１つの前記補強ロッドは、高密度である、装置。
（９）実施態様（１）に記載の装置において、
少なくとも１つの前記補強ロッドは、カニューレ状で貫通孔を画定している、装置。
（１０）実施態様（９）に記載の装置において、
前記カニューレ状ロッドは、前記ロッドの前記遠位端部分から延びた１つの孔を含む、装置。
【００６８】
（１１）実施態様（９）に記載の装置において、
前記カニューレ状ロッドは、前記ロッドの側面から延びた少なくとも１つの孔を含む、装置。
（１２）実施態様（９）に記載の装置において、
前記カニューレ状ロッドは、前記ロッドの側面から延びた少なくとも複数の貫通孔を含む、装置。
（１３）実施態様（９）に記載の装置において、
前記カニューレ状ロッドの前記貫通孔は、骨成長剤を収容する、装置。
（１４）実施態様（１３）に記載の装置において、
前記骨成長剤は、成長因子を含む、装置。
（１５）実施態様（１３）に記載の装置において、
前記骨成長剤は、複数の骨芽前駆生細胞を含む、装置。
【００６９】
（１６）実施態様（１）に記載の装置において、
少なくとも１つの前記補強ロッドは、接着防止コーティング、接着剤、および放出保証特徴部からなる群から選択される物質でコーティングされている、装置。
（１７）実施態様（１）に記載の装置において、
少なくとも１つの前記補強ロッドは、ネジ山が設けられた外面、棘、およびリブからなる群から選択される特徴部を有する、装置。
（１８）実施態様（１）に記載の装置において、
前記トロカールの前記遠位端部は、前記補強ロッドが通って延びる複数の側面孔を有する、装置。
（１９）実施態様（１）に記載の装置において、
前記トロカールの前記遠位端部は、前記補強ロッドが通って延びる端面孔を有する、装置。
（２０）実施態様（１）に記載の装置において、
前記補強ロッドの前記遠位端部分は、連結されている、装置。
【００７０】
（２１）骨折した椎体を治療する方法において、
（ａ）貫通孔を有するトロカールを前記椎体内に挿入するステップと、
（ｂ）複数の可撓性補強ロッドを、前記貫通孔を通して前記骨折した椎体内に前進させるステップと、
を含む、方法。
（２２）実施態様（２１）に記載の方法において、
前記複数の可撓性補強ロッドは、前記骨折した椎体内に前進すると所定の半径の撓みで撓む、方法。
（２３）実施態様（２１）に記載の方法において、
（ｃ）前記トロカールの前記貫通孔を通して骨成長剤を注入するステップ、
をさらに含む、方法。
（２４）実施態様（２３）に記載の方法において、
前記骨成長剤は、成長因子である、方法。
（２５）実施態様（２３）に記載の方法において、
前記骨成長剤は、骨芽前駆生細胞を含む、方法。
【００７１】
（２６）実施態様（２１）に記載の方法において、
（ｃ）少なくとも１つの前記ロッドの遠位端部分を、前記少なくとも１つのロッドの中間部分から分離するステップ、
をさらに含む、方法。
（２７）実施態様（２６）に記載の方法において、
（ｃ）前記少なくとも１つのロッドの前記中間部分を前記トロカールから取り外すステップ、
をさらに含む、方法。
（２８）実施態様（２１）に記載の方法において、
（ｃ）少なくとも１つの前記ロッドを前記椎体から取り外して通路を形成するステップ、
をさらに含む、方法。
（２９）実施態様（２８）に記載の方法において、
（ｃ）前記通路を耐荷重材料で充填するステップ、
をさらに含む、方法。
（３０）実施態様（２９）に記載の方法において、
前記耐荷重材料は、アクリル系骨セメント、骨粒子を含むペースト、およびセラミック系骨セメントからなる群から選択される、方法。
【００７２】
（３１）実施態様（２１）に記載の方法において、
少なくとも１つの前記ロッドは、カニューレ状であり、
前記方法は、
（ｃ）前記少なくとも１つのカニューレ状ロッドを通して前記骨折した椎体内に骨成長剤を流入させるステップ、
をさらに含む、方法。
（３２）実施態様（３１）に記載の方法において、
前記骨成長剤は、成長因子である、方法。
（３３）実施態様（３１）に記載の方法において、
前記骨成長剤は、骨芽前駆生細胞を含む、方法。
【図面の簡単な説明】
【００７３】
【図１】骨折線（破線）を有する従来の骨折した椎体を示す図である。
【図２】複数の可撓性補強ロッドを含むトロカールの骨折した椎体内への挿入を含む本発明の第１の実施形態を示す図である。
【図３】補強ロッドがトロカールから延出し、骨折した椎体内で所定の角度で曲がるように補強ロッドがトロカール内を前進するところを示す図である。
【図４】補強ロッドが骨折部位を安定させた状態で、骨折した椎体内への骨成長剤の注入を示す図である。
【図５Ａ】補強ロッドの遠位端部分をロッドの残りの部分から取外したところ、および補強ロッドの残りの部分を椎体から除去したところを示す図である。
【図５Ｂ】近位装置から補強ロッドを分離して耐荷重インプラントを残置する実施形態を示す図である。
【図５Ｃ】別の方法で近位装置から補強ロッドを分離して耐荷重インプラントを残置する別の実施形態を示す図である。
【図５Ｄ】別の方法で近位装置から補強ロッドを分離して耐荷重インプラントを残置する別の実施形態を示す図である。
【図５Ｅ】別の方法で近位装置から補強ロッドを分離して耐荷重インプラントを残置する別の実施形態を示す図である。
【図６】第１の複数の補強ロッドすべてが椎体から除去されて複数の通路が作られ、これらの通路内に流動性補強材料が流れ込んで第２の複数の補強ロッドが作られた本発明の第２の実施形態を示す図である。
【図７】補強ロッドの遠位端部分が連結されてステントが形成されている本発明の第３の実施形態を示す図である。
【図８】ステント形成している補強ロッドが骨折部を安定させた状態で、骨折した椎体内への骨成長剤の注入を示す図である。
【図１】
2009509578.tif 000003
【図２】
2009509578.tif 000004
【図３】
2009509578.tif 000005
【図４】
2009509578.tif 000006
【図５Ａ】
2009509578.tif 000007
【図５Ｂ】
2009509578.tif 000008
【図５Ｃ】
2009509578.tif 000009
【図５Ｄ】
2009509578.tif 000010
【図５Ｅ】
2009509578.tif 000011
【図６】
2009509578.tif 000012
【図７】
2009509578.tif 000013
【図８】
2009509578.tif 000014
【国際調査報告】
2009509578.tif 000015